(57)【要約】      （修正有）【課題】通風性に優れ、しかも人体に対して安全な（ぶつかっても負傷しない）、縦縞様の外観を呈して風趣に富む手摺用パネル構造体を提供する。【解決手段】多数の中空縦桟７を垂直に列設してパネルを形成する。（Ａ）は中空縦桟の平面図（断面形状）、（Ｂ）は斜視図である。この中空縦桟の断面形状は、第１の辺ａと、第２の辺ｂと、第３の辺ｃと、第４の辺ｄと、第５の辺ｅと、第６の辺ｆとからなり、５個の凸角と１個の凹角とを有する六角形である。縦桟は、隣接する片方の縦桟の「第４の辺ｄと第５の辺ｅとがなす凸角の頂点」が、隣接する他方の縦桟の「第１の辺ａの他端と第３の辺ｃの他端とを結ぶ仮想の直線」付近に位置するように配列する。【選択図】図４
0003202232.tif 000002
【実用新案登録請求の範囲】
【請求項１】
手摺用パネルを構成する中空の縦桟である手摺用パネル構造体であって、５個の凸角と１個の凹角とからなる六角形の水平断面を有し、この六角形が、該手摺用パネルの屋外側の面に沿って水平なＸ軸及びこれに直交する水平なＹ軸を想定したとき、下記のような６個の辺からなることを特徴とする手摺用パネル構造体。
（イ）Ｘ，Ｙ両軸の交点に１端を置き、Ｘ軸に対して半直角をなす、長さαの第１の辺ａと、
（ロ）第１の辺ａの他端に１端を重ね、第１の辺ａに対して直角な凸角を形成し、他端をＹ軸上に置く、長さαの第２の辺ｂと、
（ハ）第２の辺ｂの他端に１端を置き、第１の辺ａと平行で、かつ該第１の辺ａと対向しない、長さαの第３の辺ｃと、
（ニ）Ｘ，Ｙ両軸の交点に１端を置き、第１の辺ａに対して直角な凸角を形成し、第２の辺ｂに対向する、長さ２αの第４の辺ｄと、
（ホ）第４の辺ｄの他端に１端を置き、第１の辺ａに対向するとともに、第４の辺ｄに対して直角な凸角を形成する、長さαの第５の辺ｅと、
（へ）第３の辺ｃの他端と第５の辺ｅの他端とを結ぶ第６の辺ｆ。
【請求項２】
前記縦桟は、隣接する前記縦桟と下記の位置関係で配列される、請求項１に記載の手摺用パネル構造体。
隣接する片方の縦桟の水平断面における「第４の辺ｄと第５の辺ｅとがなす凸角の頂点」が、隣接する他方の縦桟の水平断面における「第１の辺ａの他端と第３の辺ｃの他端とを結ぶ仮想の直線」付近に位置する。  
【請求項３】
前記第４の辺ｄの内側、及び、第２の辺ｂの他端と第３の辺ｃとの交点の内側に、ビス取付け用突起が形成されている、請求項１に記載の手摺用パネル構造体。
【請求項４】
請求項１〜３のいずれか１項に記載の手摺用パネル構造体を用いて形成された手摺用パネル。
【考案の詳細な説明】
【技術分野】
【０００１】
本考案は、マンションなどの建物のベランダ、バルコニー、屋上等に設置される手摺り壁の手摺用パネルを構成する手摺用パネル構造体に関するものである。
【背景技術】
【０００２】
マンションなどの建物のベランダ、バルコニー又は屋上広場その他これに類するものの周囲には、安全上必要な高さが１．１メートル以上の手摺壁、さく又は金網の設置が義務付けられている（建築基準法施行令第１２６条）。
従来、各種の手摺壁が研究開発されており、その壁体部を構成する手摺用パネルについても各種の発明・考案が提案されている。
【０００３】
例えば、特許文献１には、特殊な中空五角形の横桟を上下に列設して手摺用パネルを形成した手摺用パネル構造体、具体的には、頂辺ＡとＢ，側辺ＣとＤ，底辺Ｅからなる中空五角形の横桟が、支柱間に等間隔で上下多数に取り付けられた手摺用パネル構造体であって、頂角βを略９０°、底角γを略４５°とし、頂辺ＡとＢは同長、側辺ＣとＤは長さがＣ＜Ｄで、側辺ＣとＤの内側対向位置に、ビス取り付け用突条ｇ，ｇ’が形成されていることを特徴とする手摺用パネル構造体が示されており、
この手摺用パネル構造体は、上記特殊な中空五角形の横桟を上下に列設してパネルを形成することにより、
（イ）屋外からの視線を遮ってプライバシーを守り、
（ロ）屋内側から屋外の下方が展望されないため、高所恐怖感を誘発せず、
（ハ）取付け用部材が騒音を発生する恐れが無い、  
という優れた実用的効果を奏する。
【先行技術文献】
【特許文献】
【０００４】
【特許文献１】特許第４１１５６３６号公報
【考案の概要】
【考案が解決しようとする課題】
【０００５】
前記特許文献１に係る手摺用パネル構造体は、その実用的な効果を発揮して建築用金物産業の発達に貢献した。
しかし、前記手摺用パネル構造体は、基本的に横桟として列設させる構造であって、該横桟が重力による撓み応力を受けるため、支柱間隔の設定や中空横桟の壁厚寸法などに関して構造力学的な難しさを有していた。
さらに、前記手摺用パネル構造体は、横桟構造であることから、ありふれた横縞様の外観であった。
【０００６】
本考案の目的は、前記特許文献１に係る手摺用パネル構造体を改良して、その長所（プライバシー保護、高所恐怖感予防、騒音防止）を損なうことなく、風趣に富んだ縦縞様の外観を呈し、構造力学的に有利であって、通風性に優れ、さらには、人体に対して安全な（ぶつかっても外傷を被らない）、手摺用パネル構造体を提供することにある。なお、本考案は、大量生産に適し、経済性、施工性、及び耐久性に優れるように配慮してあることは言うまでもない。
【課題を解決するための手段】
【０００７】
本考案に係る手摺用パネル構造体の基本的な構成は、中空の縦桟（つまりパイプ）を手摺用パネル構造体（手摺用格子）として用い、これを左右に配列（列設）して手摺用パネルを形成する。
中空縦桟式の手摺用パネル構造体は周知の技術であるが、本考案の特徴は該手摺用パネル構造体（以下、中空縦桟ともいう。）の断面形状にある。
【０００８】
すなわち、本考案に係る手摺用パネル構造体の特徴である断面形状は、「５個の凸角と１個の凹角とからなる六角形」を呈する。    
幾何学的な六角形は、幅寸法（太さ）の無い６本の直線によって形成されているが、本考案に係る手摺用パネル構造体の断面は壁厚を有し、隅角部には適度の丸みを有している。
しかしながら、説明の便宜上、本考案に係る手摺用パネル構造体の特徴である断面形状として、断面の壁厚や隅角部の丸みを無視した近似の六角形を想定し、この仮想の六角形を次のように構成する（図１参照。なお、Ｘ−Ｙは直交座標、Ｏは原点である）。
（イ）原点Ｏから、Ｘ軸に対し半直角をなす方向に、長さαの第１の辺ａ（Ｏ―イ）を描き、
（ロ）該第１の辺ａの他端（点イ）とＹ軸上の点（ロ）とを結ぶ、長さαの第２の辺ｂを描く。これによって形成される角（Ｏイロ）は直角な凸角になる。なお、本考案において他端とは、既に引いた線の引き終わりの点をいう。
（ハ）上記第２の辺の他端（点ロ）から、第１の辺ａと平行に、かつ該第１の辺ａと対向しない、長さαの第３の辺ｃを描く。これによって形成される角（イロハ）は直角な凹角になる。なお、単に第１の辺ａと平行な長さαの辺といえば、仮想線で示した線（ロγ）もあり得ることから、線（ロγ）を排除して線（ロハ）に限定するため、「第１の辺に対向しないこと」を要件とした。本考案において「対向」とは、互いに向かい合うことである。
（ニ）原点Ｏから、第１の辺ａと直角に、第２の辺ｂと対向する長さ２αの第４の辺ｄを描く。これによって形成される角（イＯニ）は直角な凸角になる。  
（ホ）第４の辺ｄの他端（点ニ）から、第１の辺ａと平行に、該第１の辺ａに対向せしめて、長さαの第５の辺ｅを描く。なお、単に第１の辺ａと平行な長さαの辺といえば、仮想線で示した線（ニβ）もあり得ることから、線（ニβ）を排除して線（ニホ）であることを明確ならしめるため、「第１の辺に対向すること」を要件とした。
（へ）第５の辺ｅの他端（点ホ）と、第３の辺ｃの他端（点ハ）とを結ぶ第６の辺ｆを描く。
【０００９】
上述のように作図すると、図１に表されているように５個の凸角（イ，Ｏ，ニ，ホ，ハ）と、１個の凹角（ロ）とを有する六角形が形成される。
本考案に係る手摺用パネル構造体は、この六角形の断面を有する管状（詳しくは、この六角形に肉付けした断面形状を有する管状）に構成される（請求項１）。その実態的な形状は、図面を参照して後に説明する。
【００１０】
本願請求項２に係る考案の構成は、前記請求項１の考案の構成要件に加えて、  
隣接する前記縦桟と下記の位置関係、すなわち、列設されて隣接する２個の中空縦桟相互において、片方の縦桟の２個の凸角（イ，ハ）を結ぶ仮想の線の付近に、他方の縦桟の凸角（ニ）が位置する位置関係で配列されることを特徴とする（図５参照）。
【００１１】
本願請求項３に係る考案の構成は、前記請求項１の考案の構成要件に加えて、
次の２箇所、すなわち、第２の辺ｂと第３の辺ｃとの接続点（すなわち点ロ）、及び、第４の辺ｄの内側にビス取付け用突起（８ａ，８ｂ）が設けられていることを特徴とする（図４参照）。ただし、内側とは、中空管状の桟部材である手摺用パネル構造体の中空部内の意味である。
【考案の効果】
【００１２】
本願請求項１の考案を適用すると、特許文献１に係る手摺用パネル構造体の長所（プライバシー保護、高所恐怖感予防、及び騒音防止）を損なうことなく、
（ｉ）屋外に向けて直角な凸角を有する縦桟が配列されていて、美麗な縦縞様の外観を呈し、
（ｉｉ）特殊断面形状をもつ縦桟が列設されているので、空気は通すが光（視線）を遮り、
（ｉｉｉ）パネルの屋内側の面がフラットで安全である（人がぶつかっても外傷を被る恐れがない）、という効果を得ることができる。なお、本考案は、縦桟方式を採用したので、桟部材に曲げモーメントが掛からない。これは本考案特有の効果ではないが、横桟方式の先行技術に比して構造力学的に有利である。
【００１３】
本願請求項２の考案を適用すると、さらに通風性と遮光性とがバランス良く両立することができる。
【００１４】
本願請求項３の考案を適用すると、さらに本考案に係る手摺用パネル構造体の施工性が良くなる。
【図面の簡単な説明】
【００１５】
【図１】本考案に係る手摺用パネル構造体の形状を説明するための水平断面図である。
【図２】本考案に係る手摺用パネル構造体の支持構造を説明するための正面図である。
【図３】本考案に係る手摺用パネル構造体の支持構造を説明するための側面図である。
【図４】本考案に係る手摺用パネル構造体の実施形態を示し、（Ａ）は平面図、（Ｂ）は斜視図である。
【図５】本考案に係る手摺用パネル構造体を列設した状態を表す模式図である。
【図６】図１に示した実施形態と異なる実施形態の説明図である。
【図７】本考案に係る手摺用パネル構造体の実施形態６例を示す断面図である。
【図８】更に異なる実施形態を説明するための断面図である。
【考案を実施するための形態】
【００１６】
次に、本考案について図面を参照してさらに詳細に説明するが、本考案は図面に記載されたものに限定されない。
図２は本考案に係る手摺用パネル構造体である多数の中空縦桟７，７，７‥‥の支持構造を示す正面図であり、同図には本考案に係る手摺用パネル構造体を用いて形成された手摺用パネルが示されている。
本考案において桟とは、手摺用パネルを形成する真っ直ぐな棒状部材をいい、縦桟とは地球に対して垂直に列設される桟をいう。
図２に示されているように、ベランダ床１に２本の支柱２が立設され、その上に笠木３が架け渡されている。ブラケット４を介して上枠５と下枠６とが水平に支持され、これら上枠５と下枠６との間に多数の中空縦桟７，７，７‥‥が、それぞれ垂直に取り付けられて、手摺用パネルを形成している。
【００１７】
図３は、図２に示した実施形態の一部を切断して描いた側面図である。
図３から分かるように、ベランダ床１に支柱２が立設されており、この支柱２に対し、ブラケット４を介してパネルの上枠５、及び下枠６が取り付けられている。また、前記上枠５と下枠６との間に中空縦桟７が垂直に装着されている。
【００１８】
前記の中空縦桟７は、特許文献１として挙げた特許第４１１５６３６号公報に記載された手摺用パネル構造体における横桟と同様に、その断面が多角形をなす中空の部材（すなわちパイプ）である。ただし、上記横桟が、その名のごとく水平部材であるのに対して、本考案の手摺用パネル構造体である中空縦桟はその名の通り垂直部材であって、その断面形状は以下に説明するように特殊な六角形をなしている。
この断面形状について、後に、図１を参照して詳細に説明するが、本考案に係る手摺用パネル構造体は図４に示すような外観の部材であって、図４（Ａ）は平面図、図４（Ｂ）は斜視図である。
本考案に係る手摺用パネル構造体における中空縦桟７の断面形状は、概要的に「５個の凸角と１個の凹角とを有する六角形」である。
【００１９】
図４（Ａ）に示した平面図から容易に理解されるように、本考案に該当する中空縦桟７は壁厚寸法ｔを有し、隅角部に丸みが有るから、この平面形状は幾何学的に純粋な六角形ではない。
この形状を平易かつ明確に説明するため、実態の部材に類似する六角形を想定して、この六角形の特徴を以下に説明する。
【００２０】
説明の便宜上、この六角形を作図する手順の形式で説明する（図１参照。なお、直角座標Ｘ−Ｙを想定する。Ｏは座標原点である。）。
まず、点Ｏから、Ｘ−Ｘ´に対して半直角をなすように、長さαの第１の辺ａ（Ｏ−イ）を引く。なお、本考案において、線の引き始めを１端と呼び、引き終わりを他端と呼ぶ。
【００２１】
次に、第１の辺ａの他端（点イ）から、Ｙ軸上の点（ロ）まで、長さαの第２の辺ｂ（イ−ロ）を引く。必然的に、角Ｏイロは凸なる直角をなす。
そして、上記第２の辺ｂの他端（点ロ）から、第１の辺ａと平行に、かつ第１の辺ａと対向しないように、長さαの第３の辺ｃ（ロ−ハ）を引く。
この場合、単に第１の辺ａと平行に線を引くならば、図示の点γを他端とする点線（ロ−γ）という選択肢が有り得るから、これを排除する意味で「第１の辺ａと対向しないこと」を要件とする。
【００２２】
次に、座標原点Ｏから前記第２の辺ｂと平行に、かつ該第２の辺ｂに対向させて長さ２αの第４の辺ｄ（Ｏ−ニ）を引く。
さらに、上記第４の辺ｄの他端（点ニ）から、前記第１の辺ａと平行に、かつ該第１の辺ａに対向させて長さαの第５の辺ｅ（ニ−ホ）を引く。
そして、前記第３の辺ｃの他端（点ハ）と前記第５の辺ｅの他端（点ホ）とを結んで第６の辺ｆ（ハ−ホ）を引く。この第６の辺ｆは必然的に座標軸Ｘ−Ｘ´と平行になる。
このようにして、５個の凸角（イ，Ｏ，ニ，ホ，ハ）と１個の凹角（ロ）とを有する六角形が形成される。この六角形が本考案に係る手摺用パネル構造体の断面形状の代表的な一例である。
【００２３】
次に、図６を参照して、前記と異なる実施形態を説明する。
実線で描かれている六角形（Ｏ−ニ−ホ−ハ−ロ−イ−Ｏ）は、図１に示した５凸１凹形の六角形を転写したものであって、本考案の１実施形態に係る手摺用パネル構造体（中空縦桟）の断面形状を表している。
実線で描かれている上記六角形を形成するためには、まず、線Ｏ−イを対称軸として、前記六角形（実線）に対して線対称をなす点線の六角形（Ｏ―イートーチーリーヌーＯ）を描く。
この点線の六角形（Ｏ―イートーチーリーヌーＯ）を断面とする中空縦桟は、実線の六角形（Ｏ−ニ−ホ−ハ−ロ−イ−Ｏ）を断面とする中空縦桟と同様に、本考案の構成要素としての機能を有している。したがって、前掲の図１に示した断面形状に限らず、これに対称な断面形状の縦桟も本考案の技術的範囲に属する。
【００２４】
前掲の図４に示した中空縦桟７を列設した状態の水平断面を図５に示す。図の上方が屋外側、同じく下方が屋内側である。
図５の左端に位置する中空縦桟７´に付した符号イ，ハは、図１で説明した凸角に相当する。
上記中空縦桟７´に隣接する中空縦桟７″に付した符号ニは、図１で説明した凸角に相当する。
中空縦桟７´の２個の凸角（点イ，ハ）を結ぶ仮想の直線の付近に、隣接する中空縦桟７″の凸角（点ニ）を位置せしめて、２本の中空縦桟７´，７″を配設する。
【００２５】
図５に示したように、多数の中空縦桟７を上述のように配設すると、屋外側から屋内を透視することができず、屋内者のプライバシーが保護される。そのうえ、家屋の内外方向（図の上下方向）における通風性が良い。このようにプライバシー保護と通風性確保とを両立せしめ得ることが本考案の実用的効果である。
さらに、屋内側から見ても視界が妨げられるので、前記特許文献１の手摺用パネル構造体と同様に高所恐怖感を予防し得る。
この図５から理解されるように、列設された縦桟を屋外側から見ると、縦桟部材の稜線が平行に並んで縦縞様の外観を呈する。単なる縦縞模様ではなく、屋外側の外観に現れている凸稜の両側の２面が直角をなしている。このため、表面処理を施したアルミ材で縦桟を構成すると、２つの面が異なる色感を呈し、近代的で奥床しい独特の風情を醸し出す。
そのうえ、屋内側に向かう面（図において下側）がフラットであるから、例えばベランダで遊んでいた幼児がぶつかっても、著しい外傷を被る恐れが無くて安全である。
【００２６】
図５を参照して以上に考察した、構成と作用効果との因果関係から容易に理解できるように、本考案に係る手摺用パネル構造体の断面形状は幾何学的に純粋な形状であることを要せず、概要的に図１のような断面形状を有していれば良い。
例えば、凸角部や凹角部に若干の丸みが付されていたり、六角形を形成している６個の辺（立体的に見れば縦桟の側面）が僅かに湾曲したり波打ったりしていても、本考案に特有の作用効果を奏する。
また、断面の六角形を形成する６本の辺相互の長さの比率についても、厳密に「等長」、「２倍長」でなくても良い。したがって、このような変形は均等の範囲内であって本考案の技術的範囲に属する。
【００２７】
図７は均等の範囲内で本考案に属する実施形態の６例を示す模式的な断面図である。それぞれの実施形態の構造を理解し易いように模式化してあるので、実態的な投影図ではない。
（Ａ）は、図４に示した実施形態である。仮想線で描かれている符号８の部材はビス取付け用突起であるが、本考案を実施する際にビス取付け用突起の配設位置は任意である。
（Ｂ）は図６に破線で示した実施形態である。仮想線で描いた小さい円は符号を省略してあるがビス取付け用突起である（以下同様）。
（Ｃ）は前記（Ａ）の実施形態の変形例であって、各辺相互の長さ比率が若干変わっている。
【００２８】
前記（Ａ）の実施形態に係る部材を図５のように配列すると、通風を妨げることなく視線を遮り、しかも屋内側に向けて別段の突起が無く（フラットで）安全である。
この図５に描かれている（Ａ）の部材を（Ｃ）の部材で置き換えて考察すると、（Ｃ）の部材であっても（Ａ）の部材と同様に、通風を妨げることなく視線を遮り、しかも屋内側に向けて別段の突起が無く（フラットで）安全であることが理解される。
（Ｃ）の部材が（Ａ）の部材と同様の作用効果を奏し得るのは、双方の部材が同様に５個の凸角と１個の凹角を有する６角形だからである。      
【００２９】
（Ｄ）は前記（Ｂ）の実施形態の変形例であって、各辺相互の長さ比率が若干変わっているが、５個の凸角と１個の凹角を有する６角形である。
このような形状であっても、通風を妨げることなく視線を遮り、しかも屋内側に向けて別段の突起が無く（フラットで）安全である。
【００３０】
（Ｅ）は前記（Ｃ）の変形例の更なる変形例であって、各辺相互の角度が若干変わっている。
この（Ｅ）の部材を図５に当てはめて考察すると、同様に通風を妨げることなく視線を遮り、しかも屋内側に向けて別段の突起が無く（フラットで）安全であることが理解される。
（Ｆ）は前記（Ｄ）の変形例の更なる変形例であって、各辺相互の角度が若干変わっている。このような形状であっても、通風を妨げることなく視線を遮り、しかも屋内側に向けて別段の突起が無く（フラットで）安全である。    
【００３１】
前掲の図７によって、各辺相互の長さ比を変更した変形例、および各辺相互の角度を変更した変形例を説明したが、更なる変形例として隅角部の曲率を変更することもできる。
図８は、前記更なる変形例を説明するための模式的な断面図である。
図８（Ａ）は、前掲の図４（Ａ）に示した実施形態である。ただし、図を簡素ならしめるためビス取付け用突起（符号８の構成部分）を省略してある（以下同様）。
【００３２】
図８（Ｂ）の実施形態は前記（Ａ）とほとんど同じであるが、図において左端の隅角の曲率半径を大きくしてある。
この箇所の曲率は任意に設定することができ、曲率を大きくするほど、パネルの通風性は良くなるが、余り大きくすると遮光性（プライバシー保護・見え難さ）が不充分になる。こうした傾向を良く理解して適正な曲率を選定することが推奨される。
【００３３】
図８（Ｃ）の実施形態は前記（Ａ）とほとんど同じであるが、図において右下の隅角を尖らせてある。  
この箇所の尖り具合は任意に設定することができ、大きく突出させるとパネル内側（家屋側）がフラットになって安全性が増加する。しかし、突出部分を余り大きくすると通風性が妨げられる。こうした傾向を良く理解して、適正な尖り方（突出寸法）を選定することが推奨される。
【符号の説明】
【００３４】
１…ベランダ床
２…支柱
３…笠木
４…ブラケット
５…上枠
６…下枠
７，７´，７″…中空縦桟
８，８ａ，８ｂ…ビス取付け用突起
ａ…第１の辺
ｂ…第２の辺
ｃ…第３の辺
ｄ…第４の辺
ｅ…第５の辺
ｆ…第６の辺
Ｏ…座標原点
α…辺の長さ
ｄ…第４の辺
ｅ…第５の辺
ｆ…第６の辺
【図１】
0003202232.tif 000003
【図２】
0003202232.tif 000004
【図３】
0003202232.tif 000005
【図４】
0003202232.tif 000006
【図５】
0003202232.tif 000007
【図６】
0003202232.tif 000008
【図７】
0003202232.tif 000009
【図８】
0003202232.tif 000010